(57)【要約】【課題】投球時の足の上下運動及び股の開きの制約が少なく、運動機能性の高いスポーツ用パンツを提供する。【解決手段】前身頃(2)と後身頃(3)を含むスポーツ用パンツ(1)であり、前身頃(2)と後身頃(3)の間の内股から裾にかけてマチ(4)が配置され、マチ(4)の後身は殿溝と、内転筋の１/３内側と、膝窩中央又は中央より内側と、腓骨筋の中央部とアキレス腱の１/３遠位を含む連続した領域を覆う形状である。前方から見たとき、マチ(4)は内股上部に見え、後見頃(3)は両膝の外側に見え、前身頃(2)はＸ脚状に見える。後方から見たとき、後見頃(3)はＯ脚状に見える。側面から見たとき、後見頃(3)は膝の前屈に沿った形状をしている。マチ(4)は１/２股ぐりに対し前身頃のウエストから７０〜７５％の位置に出ているのが好ましい。【選択図】図１
2014040688.tif 000002
【特許請求の範囲】
【請求項１】
前身頃と後身頃を含むスポーツ用パンツであって、
前記前身頃と後身頃の間の内股から裾にかけてマチが配置され、前記マチの後身は殿溝と、内転筋の１/３内側と、膝窩中央又は中央より内側と、腓骨筋の中央部とアキレス腱の１/３遠位を含む連続した領域を覆う形状であることを特徴とするスポーツ用パンツ。
【請求項２】
前記パンツを静置状態で前方から見たとき、マチは内股上部に位置し、後見頃は両膝の外側に位置し、前身頃はＸ脚状であり、後方から見たとき後見頃はＯ脚状である請求項１に記載のスポーツ用パンツ。
【請求項３】
前記パンツを静置状態で側面から見たとき、後見頃は膝の前屈に沿った形状をしている請求項１又は２に記載のスポーツ用パンツ。
【請求項４】
前記左右のマチをつなげて展開したとき、両膝部が前方に向かって曲がり、股部が後方に向かって曲がっている形状である請求項１〜３のいずれか１項に記載のスポーツ用パンツ。
【請求項５】
前記マチは１/２股ぐりに対し前身頃のウエストから７０〜７５％の位置に出ている請求項１〜４のいずれか１項に記載のスポーツ用パンツ。
【請求項６】
股ぐりにおける全体長さに対するマチの幅の割合が１５〜２０％であり、もも回りにおける全体長さに対するマチの幅の割合が２０〜２５％であり、ひざ回りにおける全体長さに対するマチの幅の割合が３０〜３５％であり、ふくらはぎ回りにおける全体長さに対するマチの幅の割合が２５〜３０％である請求項１〜５のいずれか１項に記載のスポーツ用パンツ。
【請求項７】
前記スポーツ用パンツは、マチがないパンツに比べて股上がヌード股上寸に対して１００〜１１０％請求項１〜６のいずれか１項に記載のスポーツ用パンツ。
【発明の詳細な説明】
【技術分野】
【０００１】
本発明は、野球、ソフトボール等のスポーツ用パンツに関する。
【背景技術】
【０００２】
従来、スポーツ用パンツは織物生地または編物生地を用い、前身頃と後身頃を各２枚裁断し、直立した姿勢で体にフィットするよう形成していた。織物生地による運動用パンツでは、織物は比較的伸縮性が小さいため、全体的にゆとりを持たせて形成し、編物生地による運動用パンツでは、編地全体の伸縮性で体にフィットするように形成している。しかし、従来のスポーツ用パンツは、股を開いたときに衣服が突っ張り、股を開くのに邪魔になる問題があった。この問題を解決するため、本出願人は前身頃と後見頃を膝の下部で上下に分離した運動用パンツ提案をした（特許文献１）。また、ムレ感を低下させるために、内股部にメッシュ生地を設けたパンツも提案した（特許文献２）。特許文献３には内股部にほぼ平行状のマチを設け、開脚運動性の良いパンツが提案されている。特許文献４には内側前見頃と、外側前見頃と、後見頃と、外側脇部材からなるスポーツ用パンツが提案されている。
【０００３】
しかし、従来から提案されているスポーツ用パンツは、投球時の足の上下運動及び股の開きの動きに制約があり、さらなる改善が求められていた。
【先行技術文献】
【特許文献】
【０００４】
【特許文献１】特開２０００−４５１０８号公報
【特許文献２】特開平１１−２９３５０６号公報
【特許文献３】特開２０１０−９０４８３号公報
【特許文献４】特開２００２−６９７１３号公報
【発明の概要】
【発明が解決しようとする課題】
【０００５】
本発明は、前記従来の問題を解決するため、投球時の足の上下運動及び股の開きの制約が少なく、運動機能性の高いスポーツ用パンツを提供する。
【課題を解決するための手段】
【０００６】
本発明のスポーツ用パンツは、前身頃と後身頃を含むスポーツ用パンツであって、前記前身頃と後身頃の間の内股から裾にかけてマチが配置され、前記マチの後身は殿溝と、内転筋の１/３内側と、膝窩中央又は中央より内側と、腓骨筋の中央部とアキレス腱の１/３遠位を含む連続した領域を覆う形状であることを特徴とする。
【発明の効果】
【０００７】
本発明は、前身頃と後身頃の間の内股から裾にかけてマチが配置され、マチの後身は殿溝と、内転筋の１/３内側と、膝窩中央又は中央より内側と、腓骨筋の中央部とアキレス腱の１/３遠位を含む連続した領域を覆う形状であることにより、投球時の足の上下運動及び股の開きの制約が少なく、運動機能性の高いスポーツ用パンツとすることができる。
【図面の簡単な説明】
【０００８】
【図１】図１Ａは本発明の一実施例のスポーツ用パンツの正面図、図１Ｂは同背面図、図１Ｃは同右側面図である。
【図２】図２は本発明の一実施例のスポーツ用パンツの型紙図である。
【図３】図３は本発明の一実施例のスポーツ用パンツの型紙図である。
【図４】図４は本発明の一実施例で使用する左右マチをつなげた展開図である。
【図５】図５Ａは従来例のスポーツ用パンツの正面図、図５Ｂは同背面図、図５Ｃは同右側面図である。
【図６】図６は本発明の一実施例品と従来品との前方９０の立位安静時における衣服圧の比較グラフである。
【図７】図７は本発明の一実施例品と従来品との開脚の立位安静時における衣服圧の比較グラフである。
【図８】図８は、野球の投球動作を示す説明図である。
【図９】図９は本発明の一実施例品と従来品との膝動作時の衣服圧の比較グラフである。
【図１０】図１０は本発明の一実施例品と従来品との尻動作時の衣服圧の比較グラフである。
【発明を実施するための形態】
【０００９】
通常のパンツは人体の股上に対してゆとりをもたせた設計にしている為、股を開いた時に衣服が突っ張り、股を開くのに邪魔になるという問題がある。この解決策として、衣服が身体の股に沿う様に股下にマチを加え、股に対して面で捉える様にし、衣服の突っ張りを軽減させることが考えられる。しかし、通常のパンツでは股下線を中心寄りに縫製線を内側にカーブさせ、股に沿う様に設計しているがそれだけは不十分であるとの着想を得た。
【００１０】
前記着想を具現するため本発明のスポーツ用パンツは、前身頃と後身頃を含み、前身頃と後身頃の間の内股から裾にかけてマチが配置される。マチの後身は殿溝と、内転筋の１/３内側と、膝窩中央又は中央より内側と、腓骨筋の中央部とアキレス腱の１/３遠位を含む連続した領域を覆う形状であり、マチ幅は従来品にはないほど広い。これにより野球やソフトボールにおける投球時の足の上下運動及び股の開きの制約が少なく、運動機能性の高いスポーツ用パンツとすることができる。加えて、立位安静時においても人体への制約が少ないパンツとすることができる。
【００１１】
このパンツを静置状態で前方から見たとき、マチは内股上部に見え、後見頃は両膝の外側に見え、前身頃はＸ脚状に見える。後方から見たとき後見頃はＯ脚状に見える。また、パンツを静置状態で側面から見たとき、後見頃は膝の前屈に沿った形状をしている。これにより、運動時においても立位安静時においても人体への制約を少なくできる。
【００１２】
左右のマチをつなげて展開したとき、両膝部が前方に向かって曲がり、股部が後方に向かって曲がっている形状であるのが好ましい。これによりパンツ形状は野手が守る際の基本姿勢に近いものとなり、人体への制約を少なくできる。
【００１３】
マチは１／２股ぐりに対し前身頃のウエストから７０〜７５％の位置に出ているのが好ましい。これにより股上を浅くでき、股を開いた時に衣服が突っ張り股を開くのが邪魔になる問題をさらに改善できる。
【００１４】
また、本発明のスポーツ用パンツにおいて、股ぐりにおける全体長さに対するマチの幅の割合は５〜３５％であり、もも回りにおける全体長さに対するマチの幅の割合は１０〜４０％であり、ひざ回りにおける全体長さに対するマチの幅の割合は２０〜５０％であり、ふくらはぎ回りにおける全体長さに対するマチの幅の割合は１５〜４５％であるのが好ましく、股ぐりにおける全体長さに対するマチの幅の割合は１０〜２５％であり、もも回りにおける全体長さに対するマチの幅の割合は１５〜３０％であり、ひざ回りにおける全体長さに対するマチの幅の割合は２５〜４０％であり、ふくらはぎ回りにおける全体長さに対するマチの幅の割合は２０〜３５％であるのがより好ましく、股ぐりにおける全体長さに対するマチの幅の割合は１５〜２０％であり、もも回りにおける全体長さに対するマチの幅の割合は２０〜２５％であり、ひざ回りにおける全体長さに対するマチの幅の割合は３０〜３５％であり、ふくらはぎ回りにおける全体長さに対するマチの幅の割合は２５〜３０％であるのが特に好ましい。マチ幅がこれだけ広いと運動動作時の制約を大幅に軽減でき、股上も浅くできる。本発明において、図２に示しているように、前身頃の裾の中央からウエストまで中央線５０を引き、その長さをＬ0とした場合、もも回りとは、ウエストからの直線距離Ｌ1がＬ0の３０〜３５％に該当する部分５１をいい、ひざ回りとは、ウエストからの直線距離Ｌ2がＬ0の５３〜５８％に該当する部分５２をいい、ふくらはぎ回りとは、ウエストからの直線距離Ｌ3がＬ０の７２〜７７％に該当する部分５３をいう。
【００１５】
本発明のスポーツ用パンツは、マチがないパンツに比べて股上がヌード股上寸に対し１００〜１１０％であるのが好ましい。股上を浅くした分、股を開いた時に衣服が突っ張り股を開くのが邪魔になる問題をさらに改善できる。
【００１６】
本発明において、生地としては、通常のスポーツ用パンツ生地を採用できる。例えば、織物としては、平織、斜文織、朱子織、変化平織、変化斜文織、変化朱子織、変わり織、紋織、片重ね織、二重組織、多重組織、経パイル織、緯パイル織、絡み織等がある。編物としては、丸編、緯編、経編（トリコット編、ラッセル編を含む）、パイル編等を含み、平編、天竺編、リブ編、スムース編（両面編）、ゴム編、パール編、デンビー組織、コード組織、アトラス組織、鎖組織、挿入組織などがある。前記生地は、目付けが１５０〜４００ｇ／ｍ2の範囲が好ましい。１５０ｇ／ｍ2未満であると生地が薄くスライディング等の激しい動きに対し破れやすく、４００ｇ／ｍ2を超えると生地が厚く重い為、運動機能が損なわれる可能性がある。さらに好ましい目付は１７０〜３５０ｇ／ｍ2の範囲、とくに好ましくは２００〜３３０ｇ／ｍ2の範囲である。前記の範囲であれば、運動機能を損なわず、耐久性も良く、透けにくく軽くて動きやすい利点がある。前記生地は、縫製によってパンツとする。
【００１７】
以下図面を用いて説明する。以下の図面において同一符号は同一物を示す。図１Ａは本発明の一実施例のスポーツ用パンツの正面図、図１Ｂは同背面図、図１Ｃは同右側面図である。このスポーツ用パンツ１は前身頃２と後身頃３を含み、前身頃２と後身頃３の間の内股から裾にかけてマチ４が配置される。図１Ｂに示すように、マチ４の後身は尻の下部と、大腿の内側と、膝裏の中央又は中央より外側と、裾８の後ろのほぼ中央部までを覆う形状である。前身頃２、後身頃３及びマチ４の縫製線（構造線ともいう）は、運動機能を制約させない観点から緩やかな曲線とするのが好ましい。
【００１８】
図１Ａに示すように、スポーツ用パンツ１を静置状態で前方から見たとき、マチ４は内股上部に見え、後見頃３は両膝の外側に見え、前身頃２はＸ脚状に見える。図１Ｂに示すように、後方から見たとき後見頃はＯ脚状に見える。図１Ｃに示すように、スポーツ用パンツ１を静置状態で側面から見たとき、後見頃３は膝の前屈に沿った形状をしている。また、マチ４は小股十字７から前身に１/２股ぐりに対し前身頃のウエストから７０〜７５％の位置に出ているのが好ましい。
【００１９】
前身頃２と後身頃３の間の腰側面部には脇パーツ５を設けてもよいし、脇パーツ５に見合う平面に前身頃２又は後身頃３を延長してもよい。腰部にはベルト通し６を設ける。図１には裾８はくるぶしあたりまでのものを示したが、選手によってさまざまな長さを選択することから、膝下であれば任意の長さとすることができる。
【００２０】
図２は本発明の一実施例のスポーツ用パンツの型紙図である。この型紙は前身頃１０と後見頃１１からなり、後見頃１１は中央領域１２とマチ領域１３と脇領域１４を一体化したものである。図２の型紙について具体的に説明すると次のとおりである。
(1) 内股部にマチを入れる提案は従来からあるが、マチ幅が大きいほど衣服が股に沿い効果的と判断し、従来品よりもマチ幅を大きめに設定した。マチ幅の位置設定として、前身は１／２股ぐりに対し前身頃のウエストから７０〜７５％の位置とし、後身は尻と腿の境目辺りの位置に設定することがより効果的と判断した。
(2) 広いマチ幅に加え股上を通常のパンツよりも浅くし、より股に沿う様に設定し、さらに突っ張り軽減の効果を向上させた。通常のパンツの股上線１５に比べてヌード股上寸に対して１００〜１１０％にした。マチ縫い線として前身では図２のＡ〜Ｃを通り、後身では図２のＤ〜Ｈを通る構造線１６を引き、マチパーツを作った。
(3) 足の上下の動きに対し機能を加える為、特に運動量の多い膝と尻にゆとり量を加える。ゆとり量を加えるのに構造線１６を入れるが、生地伸び特性も利用する為、膝では図２のＢ、Ｂ’の位置、尻には図２のＩ辺りを通る様に、一番突っ張る箇所の膝中心と尻中心を避け、少し外れた箇所に構造線１６を引き、ゆとり量を追加することで生地伸びとゆとり量で突っ張り軽減効果を高めた。
(4) 足の上下運動時の腿裏の筋肉の伸縮を考慮し、図２のＥにもゆとり量を加え更に効果の向上を図った。
(5) 股を開く際の体勢は、ほとんどが足を曲げた状態であると分析しマチパーツもその体勢に合わす様に膝部分を曲げる設計を施し、他のパーツもマチパーツに合わせて設計し、全てのパーツが縫い合わさった時に立体になるようにした。
(6) 通常のパンツでは足を曲げた時、膝裏に衣服のたまりシワがあり違和感がある。この解決策として、マチの構造線でもある図２のＦの膝裏のゆとり量を削り、たまりシワの違和感を軽減させると同時に、直立状態時の膝裏の見た目もすっきり見え、シルエットがきれいに見えるようにした。膝裏のゆとり量を削る事でタイトになり、これが動きにくくなる事に繋がるが、足の上下運動に対して膝にゆとり量を入れた設計にしているため解決できた。
【００２１】
図３は本発明の一実施例のスポーツ用パンツの型紙図である。この型紙は前身頃２０、マチ２１、後身頃２２、脇パーツ２３の４パーツで構成される。図４は本発明の一実施例で使用する左右マチをつなげた展開図である。マチ３０は両膝部が前方に向かって曲がり、股部が後方に向かって曲がっている形状である。図３〜４で示すように、膝のゆとり量を出すため足を曲げたときに膝がパンツ生地を大きく伸ばさなくても良いように、膝部分を立体になるようにした。また、マチ２１の膝裏部２４と後身頃２２の膝裏部２５を削り、膝裏をタイトにした分、ふくらはぎの膨らみでパンツ生地にシワが出るため、図２のＧにもゆとり量を追加し、シワをできるだけ無くした。図４において、３１は膝裏、３２は股、３３は膝、３４はふくらはぎである。
【００２２】
図５Ａは従来のスポーツ用パンツの正面図、図５Ｂは同背面図、図５Ｃは同右側面図である。従来のスポーツ用パンツ４０は前身頃４１と後見頃４２を縫製線４３，４４で縫製して構成されている。
【実施例】
【００２３】
以下実施例を用いてさらに具体的に説明する。なお、本発明は下記の実施例に限定して解釈されるものではない。
【００２４】
（実施例１〜７）
糸素材として東レ社製、商品番号”ＴＷＳＤ１６７ＴＷ２０Ｆ”を使用し、ポリエステル１００％の編み物（経編）を使用した。目付は２９４ｇ／ｍ2であり、編み物のストレッチ性（伸縮率）は１９．３％（＃０１を計測）であった。
【００２５】
前記編物生地を用いて、図１Ａ〜Ｃに示す野球ユニフォーム用パンツを縫製した。実施例１〜７における、股ぐりにおける全体長さに対するマチの幅の割合、もも回りにおける全体長さに対するマチの幅の割合、ひざ回りにおける全体長さに対するマチの幅の割合及びふくらはぎ回りにおける全体長さに対するマチの幅の割合を、それぞれ、下記表４〜７に示した。実施例の野球ユニフォーム用パンツは静置状態で前方から見たとき、マチ４は内股上部に見え、後見頃３は両膝の外側に見え、前身頃２はＸ脚状に見えた。後方から見たとき後見頃はＯ脚状に見えた。側面から見たとき、後見頃３は膝の前屈に沿った形状をしていた。また、実施例４において、マチ４は１/２股ぐりに対し前身頃のウエストから７２％の位置に出ていた。
【００２６】
（比較例１）
前記編物生地を用いて、図５Ａ〜５Ｃに示す野球ユニフォーム用パンツを縫製した。比較例１の野球ユニフォーム用パンツは、マチ４を有しておらず、従来品に該当する。
【００２７】
＜衣服圧の測定＞
実施例４の野球ユニフォーム用パンツを着用して衣服圧を測定した。衣服圧の測定にはＡＭＩ社製のエアバック式の衣服圧センサー（型番：ＡＭＩ３０３７（２）標準）を用いた。衣服圧センサーを身体に直接貼り付け、立位安静時における前方９０と開脚のそれぞれの姿勢時の衣服圧を測定して３名の被験者の平均値を算出した。比較として比較例１の野球ユニフォーム用パンツ（従来品）を用いた。測定機器は、接触圧測定器（ハンディ、型式：ＡＭＩ３０３７−２）を使用し、計測方法は、接触間に扁平状にエアを封じ込めエアの圧力を測定する際に、エアを非伸縮性で柔軟なフィルムからなる袋に厚み１ｍｍになるように封じ込め、圧力でつぶれないチューブで接触外部の圧力センサーへ導き、大気との差圧で測定した。値は袋面積の平均値となる。表１に結果をまとめて示す。なお、前方９０とは、両膝立ちの状態から、片膝を立て、両膝角度を９０°にした姿勢をいい、開脚とは、中腰姿勢の状態にて、左右の下肢を９０°に開脚し、両膝角度を９０°にした姿勢をいう。
【００２８】
【表１】
2014040688.tif 000003
【００２９】
前方９０と開脚のそれぞれの姿勢時における比較例１品（従来品）と実施例４品の衣服圧の差を図６及び図７に示す。表１、図６及び図７から明らかなとおり、腸脛ではわずかな差であったが、膝と尻は顕著な差があった。このことから、本実施例の野球ユニフォーム用パンツは、立位安静時において膝部と尻部の衣服圧が低く、ゆとりがあることが確認できた。
【００３０】
次に、動作時における比較例１品（従来品）との比較を行った。立位安静時のデータから膝と尻に最も衣服圧がかかることがわかり、動作時による膝動作時の比較と尻動作時の比較を行った。動作は投手の投球動作とし、図８に示す投球動作の各モーション時の衣服圧を測定した。結果を表２〜３にまとめて示す。
【００３１】
【表２】
2014040688.tif 000004
【００３２】
【表３】
2014040688.tif 000005
【００３３】
表２の結果を図９にまとめ、表３の結果を図１０にまとめて示す。表２〜３、図９〜１０から明らかなとおり、膝動作時及び尻動作時において衣服圧が低く、その分動きの制約が少なく、運動時においても運動機能性の高いスポーツ用パンツであることが確認できた。
【００３４】
＜着用試験＞
実施例１〜７のスポーツ用パンツを、それぞれ１０名の被験者に着用させ、股ぐり、もも、ひざ及びふくらはぎの着用感及び突っ張り感を以下のような５段階の基準で官能評価し、その結果を下記表４〜７に示した。なお、下記表４〜７には、１０名の被験者の平均を示した。評価基準は次のとおりである。
５：明らかに良い。
４：良い。
３：普通。
２：やや劣る。
１：劣る。
【００３５】
【表４】
2014040688.tif 000006
【００３６】
【表５】
2014040688.tif 000007
【００３７】
【表６】
2014040688.tif 000008
【００３８】
【表７】
2014040688.tif 000009
【００３９】
以上から次のことが分かった。
（１）前身頃と後身頃の間の内股から裾にかけてマチが配置される中で、股ぐりにおける全体長さに対するマチの幅の割合が１０〜２５％であることが好ましく、１５〜２０％であることがより好ましい。
（２）上記に加え、もも回りにおける全体長さに対するマチの幅の割合が１５〜３０％であることが好ましく、２０〜２５％であることがより好ましい。
（３）上記に加え、ひざ回りにおける全体長さに対するマチの幅の割合が２５〜４０％であることが好ましく、３０〜３５％であることがより好ましい。
（４）上記に加え、ふくらはぎ回りにおける全体長さに対するマチの幅の割合が２０〜３５％であることが好ましく、２５〜３０％であることがより好ましい。
【産業上の利用可能性】
【００４０】
本発明のスポーツ用パンツは、野球、ソフトボール用ユニフォームとして好適であるほか、アメリカンフットボールなど類似のユニフォームにも好適である。
【符号の説明】
【００４１】
１，４０  スポーツ用パンツ
２，４１  前身頃
３，４２  後身頃
４  マチ
５  脇パーツ
６  ベルト通し
７  小股十字
８  裾
１０，２０  前身頃(型紙)
１１，２２  後身頃(型紙)
１２  身頃(型紙)
１３  マチ領域
１４  脇領域
１５  通常股上線
１６  構造線
２１  マチ（型紙）
２３  脇パーツ（型紙）
２４，２５膝裏部
３１  膝裏
３２  股
３３  膝
３４  ふくらはぎ
４３，４４  縫製線
【図１】
2014040688.tif 000010
【図２】
2014040688.tif 000011
【図３】
2014040688.tif 000012
【図４】
2014040688.tif 000013
【図５】
2014040688.tif 000014
【図６】
2014040688.tif 000015
【図７】
2014040688.tif 000016
【図８】
2014040688.tif 000017
【図９】
2014040688.tif 000018
【図１０】
2014040688.tif 000019